(57)【要約】【課題】ベッドとしても使用可能な座椅子に関し、特に、座板が座板本体から突出した突出部を備えている座椅子において、安全性が高く使用感に優れた座椅子の提供。【解決手段】座板１と、座板１の一端に設けられ、座板１に対する角度を変更可能な背もたれ部２と、座板１の他端に設けられ、座板１に対し折り畳み可能な折り畳み部３とを有する多機能座椅子１００において、背もたれ部２が、座板１側に凹部２ａを有し、折り畳み部３が、凹部２ａに進入する凸部３ａを先端部に有し、座板１が、前記一端において座板１本体から突出し凹部２ａに進入する突出部１ａと、座板１本体と突出部１ａとに延在し座板１本体の底面と突出部１ａの底面とがほぼ同一平面上に位置する状態を保持するための保持部材８とを有する。【選択図】図５
0003117337.tif 000002
【実用新案登録請求の範囲】
【請求項１】
座板と、前記座板の一端に設けられ、同座板に対する角度を変更可能な背もたれ部と、前記座板の他端に設けられ、同座板に対し折り畳み可能な折り畳み部とを有する多機能座椅子において、
前記背もたれ部が、前記座板側に凹部を有し、
前記折り畳み部が、前記凹部に進入する凸部を先端部に有し、
前記座板が、前記一端において同座板本体から突出し前記凹部に進入する突出部と、前記座板本体と前記突出部とに延在し前記座板本体の底面と前記突出部の底面とがほぼ同一平面上に位置する状態を保持するための保持部材とを有する多機能座椅子。
【請求項２】
請求項１記載の多機能座椅子において、前記保持部材が、前記座板本体から前記突出部の中途部分にかけて延在している多機能座椅子。
【請求項３】
請求項１または２記載の多機能座椅子において、前記背もたれ部の先端側に配設された枕を有する多機能座椅子。
【請求項４】
請求項３記載の多機能座椅子において、前記枕は、前記背もたれ部の、先端側の縁部と前記凹部の底部との間の部分に回転自在に支持された筒状をなし、回転により高さが可変である多機能座椅子。
【請求項５】
請求項１ないし４記載の多機能座椅子において、前記座板の側方を開放した多機能座椅子。
【考案の詳細な説明】
【技術分野】
【０００１】
本考案は、ベッドとしても使用可能な多機能座椅子に関し、特に、安全性が高く使用感に優れた多機能座椅子に関する。
【背景技術】
【０００２】
従来より、〔特許文献１〕等において開示されているように、座板に対する角度を変更可能な背もたれ部を備え、いわゆるリクライニングが可能となっており、背もたれ部を水平にするとベッドとして使用可能になる座椅子が知られている。〔特許文献１〕に記載の座椅子は、背もたれ部が凹字形状、座板が凸字形状をなしており、座板の凸部が背もたれの凹部に進入することでかかる凸部がリクライニングの邪魔になることを防止している。
【０００３】
【特許文献１】実用新案登録第３０５５４１１号公報
【考案の開示】
【考案が解決しようとする課題】
【０００４】
しかし、そのような形状の座椅子において、背もたれ部が座板に対して傾斜している状態で使用しているときに、背もたれ部側に体重をかけ過ぎると、凸部が変形して座板本体部分が床面から浮き、後ろに倒れてしまうという不具合がある。このような不具合は、〔特許文献１〕に記載の座椅子のように、上述したような凸部を有する座椅子にあっては、かかる凸部があることによって後方に倒れることはない、という過信の元に使用していると特に発生しやすい。座椅子が後ろに倒れると、ユーザーが高齢者や子供である場合などは特に、怪我をする可能性もあり、危険である。また、座椅子後方の、背もたれ部が倒れ込んだ場所に物を置いてある場合にはさらに危険であるし、その物が破損することも考えられる。
【０００５】
また、〔特許文献１〕記載の座椅子のように、枕となる部分を備えていないために枕の代わりに背もたれ部を少しだけ起こして使用する場合には、上述のように後ろに倒れやすく、シーソーのようにバタ付きやすいという不具合がある。
【０００６】
本考案は、ベッドとしても使用可能な座椅子に関し、特に、座板が座板本体から突出した突出部を備えている座椅子において、安全性が高く使用感に優れた座椅子を提供することを目的とするものである。
【課題を解決するための手段】
【０００７】
上記目的を達成するため、請求項１記載の考案は、座板と、前記座板の一端に設けられ、同座板に対する角度を変更可能な背もたれ部と、前記座板の他端に設けられ、同座板に対し折り畳み可能な折り畳み部とを有する多機能座椅子において、前記背もたれ部が、前記座板側に凹部を有し、前記折り畳み部が、前記凹部に進入する凸部を先端部に有し、前記座板が、前記一端において同座板本体から突出し前記凹部に進入する突出部と、前記座板本体と前記突出部とに延在し前記座板本体の底面と前記突出部の底面とがほぼ同一平面上に位置する状態を保持するための保持部材とを有する。
【０００８】
請求項２記載の考案は、前記保持部材が、前記座板本体から前記突出部の中途部分にかけて延在することとした。
【０００９】
請求項３記載の考案は、前記背もたれ部の先端側に配設された枕を有することとした。
【００１０】
請求項４記載の考案は、前記枕は、前記背もたれ部の、先端側の縁部と前記凹部の底部との間の部分に回転自在に支持された筒状をなし、回転により高さが可変であることとした。
【００１１】
請求項５記載の考案は、前記座板の側方を開放したこととした。
【考案の効果】
【００１２】
本考案によれば、座板と、前記座板の一端に設けられ、同座板に対する角度を変更可能な背もたれ部と、前記座板の他端に設けられ、同座板に対し折り畳み可能な折り畳み部とを有する多機能座椅子において、前記背もたれ部が、前記座板側に凹部を有し、前記折り畳み部が、前記凹部に進入する凸部を先端部に有し、前記座板が、前記一端において同座板本体から突出し前記凹部に進入する突出部と、前記座板本体と前記突出部とに延在し前記座板本体の底面と前記突出部の底面とがほぼ同一平面上に位置する状態を保持するための保持部材とを有するので、ベッドとしても使用可能な多機能座椅子であって、座ったり寝たりしている状態で、頭側に体重をかけたときに座椅子が頭側に倒れることを防止できるから、安全性が高く使用感に優れた多機能座椅子を提供することができる。
【考案を実施するための最良の形態】
【００１３】
本考案にかかる多機能座椅子は、座板と、前記座板の一端に設けられ、同座板に対する角度を変更可能な背もたれ部と、前記座板の他端に設けられ、同座板に対し折り畳み可能な折り畳み部とを有する多機能座椅子において、前記背もたれ部が、前記座板側に凹部を有し、前記折り畳み部が、前記凹部に進入する凸部を先端部に有し、前記座板が、前記一端において同座板本体から突出し前記凹部に進入する突出部と、前記座板本体と前記突出部とに延在し前記座板本体の底面と前記突出部の底面とがほぼ同一平面上に位置する状態を保持するための保持部材とを有する。
【００１４】
したがって、座ったり寝たりしている状態で、頭側に体重をかけたときに、保持部材が支えになることで背もたれ部が頭側すなわち後方に倒れることを防止でき、安全性が高く使用感に優れた多機能座椅子を提供することができる。後方に倒れることが防止されることで、後方に物を置いているときにその物が破損することも防止される。
【００１５】
また、前記保持部材が、前記座板本体から前記突出部の中途部分にかけて延在する。
【００１６】
したがって、保持部材による重量増加、コスト増加を抑制することができ、保持部材を突出部の先端にまで設けた場合に比べて軽量かつ低廉な多機能座椅子を提供することができる。保持部材を突出部の先端にまで設けた場合に比べて、軽量であるため持ち運びが容易で使用者の使用感が高い多機能座椅子を提供することができる。後方を通過するときに突出部に足などをぶつけても、保持部材に当接することが抑制され、安全性の高い多機能座椅子を提供することができる。
【００１７】
また、前記背もたれ部の先端側に配設された枕を有する。
【００１８】
したがって、ベッドとして使用する際の使用感を高め、ベッドとしての機能を向上した多機能座椅子を提供することができる。
【００１９】
また、前記枕は、前記背もたれ部の、先端側の縁部と前記凹部の底部との間の部分に回転自在に支持された筒状をなし、回転により高さが可変である。
【００２０】
したがって、使用者の好みに応じて枕の高さを変えることができ、ベッドとしてさらに使用感の高い多機能座椅子を提供することができる。座椅子として使用するときには枕の高さを低くし、ベッドとして使用するときには枕の高さを高くするなど、使用状態に応じて臨機応変に、かつ容易に枕の高さを調整することができ、使い勝手がよく使用感の極めて高い多機能座椅子を提供することができる。
【００２１】
また、前記座板の側方を開放した。
【００２２】
したがって、立ったり座ったりすることが自由にでき、またベッドとして使用しているときに床面に容易に手を付くことができることもあり、寝返りが容易にできるなど使用間に優れた特性を備えた多機能座椅子を提供することができる。
【００２３】
以下に、本考案の実施例について図面を参照しながら説明する。本考案にかかる多機能座椅子は、大きく分けて３つの使用の状態を有する。各状態を第１の状態、第２の状態、第３の状態ということとする。第１の状態は主に椅子として使用する状態、第２の状態は主にベッドとして使用する状態、第３の状態は主に足を伸ばして椅子として使用する状態であるが、その詳細については後述する。
【００２４】
図１、図２、図３に、それぞれ、本考案を適用した多機能椅子の第１ないし第３の状態における斜視図を示す。多機能座椅子１００は、座板としての座板部１と、座板部１の一端に設けられ、座板部１に対する角度を変更可能な背もたれ部２と、座板部１の他端に設けられ、座板部１に対し折り畳み可能な折り畳み部３と、背もたれ部２に取り付けられた枕４とを有している。
【００２５】
背もたれ部２は、図１４にも示すように平面視凹字状をなし、座板部１側に凹部２ａを有している。
折り畳み部３は、図１４にも示すように平面視凸字状をなし、凹部２ａに進入する凸部３ａを先端部に有している。
座板部１は、図１４にも示すように平面視凸字状をなし、背もたれ部２側の端部において座板部１の本体から突出し凹部２ａに進入する突出部１ａを有している。
枕４は、背もたれ部２の先端側に配設されている。枕４は、図２に示したファスナー４ａにより、多機能座椅子１００の本体に対して着脱自在となっている。
座板部１と折り畳み部３とはほぼ同一の大きさ、形状をなしている。
多機能座椅子１００は図１４等からも明らかなように平面視で左右対称の形状をなしている。
【００２６】
多機能座椅子１００の本体、枕４はそれぞれ、表面を起毛処理され、縫製により袋状とされたカバー５、６と、カバー５、６の内部にそれぞれ配設され、カバー５、６によってそれぞれ覆われた図示しないスポンジとを有している。カバー５は、座板部１、背もたれ部２、折り畳み部３に亘って一体であるが、かかるスポンジは、それぞれの部分で別体となっている。各スポンジは多機能座椅子１００の使用時にクッションとなる弾性を有する。
【００２７】
図５、図６に示すように、多機能座椅子１００の内部、具体的には座板部１、背もたれ部２の内部には、多機能座椅子１００の使用時において、座板部１、背もたれ部２の各スポンジの形状および座板部１、背もたれ部２の間の角度を変更可能とするとともに所定の状態で維持させるための骨格部材７が配設されている。骨格部材７は、座板部１内に位置する第１の部分としての座板骨格７ａと、背もたれ部２内に位置する第２の部分としての背もたれ骨格７ｂと、座板骨格７ａと背もたれ骨格７ｂとを連結する第３の部分としての一対のラチェット７ｃとを有している。
【００２８】
座板骨格７ａ、背もたれ骨格７ｂは、それぞれ座板部１、背もたれ部２の裏面近傍に位置している。ラチェット７ｃも同様である。ただし、座板骨格７ａ、背もたれ骨格７ｂ、ラチェット７ｃの裏面側はスポンジによって覆われ、これによってカバー５を介して使用者や床面に直接的に当接することを防止し、使用者の怪我や床面の傷を防止している。座板部１、背もたれ部２の各スポンジと骨格部材７とは、接着剤によって固定され一体化されている。
【００２９】
座板骨格７ａは、座板部１の本体と突出部１ａとに延在し同本体の底面と突出部１ａの底面とがほぼ同一平面状に位置する状態を保持するための保持部材としての鉄製のパイプ材８と、パイプ材８に対し上下左右方向に巻き掛けられ、パイプ材８とともに座板部１内のスポンジの形状を維持し、またかかるスポンジとともに座板部１のクッションを構成する可撓性の紐材９とを有している。
【００３０】
パイプ材８は、座板部１の本体内に配設され、同本体とほぼ同形の四角形状をなす本体部８ａと、突出部１ａ内に位置するように本体部８ａに突き出た態様で固設されたコ字状の突設部８ｂとを有している。突設部８ｂは、突出部１ａの先端部分を除く部分に、すなわち、突出部１ａの基端側から、その先端部分に向けた中途部分にかけて配設されている。これにより、パイプ材８は、座板部１の本体から突出部１ａの中途部分にかけて延在している。パイプ材８は、突設部８ｂ側の各角部をそれぞれラチェット７ｃに一体化されている。
【００３１】
紐材９は、突設部８ｂの先端部分と、本体部８ａの折り畳み部３側の端部部分との間にも巻き掛けられ、突設部８ｂと本体部８ａの突設部８ｂ側の端部部分とによって囲まれた領域においても、スポンジの形状が維持されるとともにクッション性が向上している。
【００３２】
背もたれ骨格７ｂは、両端部をラチェット７ｃに一体化されたコ字状をなす鉄製のパイプ材１０と、パイプ材１０に対し左右方向に巻き掛けられ、パイプ材１０とともに背もたれ部２内のスポンジの形状を維持し、またかかるスポンジとともに背もたれ部２のクッションを構成する可撓性の紐材１１とを有している。
【００３３】
ラチェット７ｃは、座板骨格７ａと背もたれ骨格７ｂとがほぼ同一平面上に位置して平面状をなし、これらの挟角がほぼ１８０度となる状態と、同挟角がほぼ８０度となる状態との間で、同挟角を広げる向きの力を加えたときには同挟角が所定の角度となった状態を保つように構成されている。
【００３４】
図１、図３はかかる挟角がほぼ８０度となった状態を示し、図２、図４は同挟角がほぼ１８０度となった状態を示しており、図５は同挟角が図１、図３に示した状態と図２、図４に示した状態との間となった状態を示している。これらの状態はいずれも、同挟角を広げる向きの力を加えたときに、ラチェット７ｃによって維持される。
【００３５】
図１に示した状態並びに図６ないし図１０に示した状態は、かかる挟角がほぼ８０度となり、かつ折り畳み部３を折り畳んで凸部３ａを凹部２ａに進入させ突出部１ａに重ねた状態である、多機能座椅子１００の第１の状態を示している。第１の状態では、多機能座椅子１００は主に座椅子として使用される。折り畳み部３が折り畳んであり、この上に座ると、スポンジがその内部に入っているため、折り畳み部３がクッションとして機能し、座り心地がよい。
【００３６】
図２、図４に示した状態並びに図１１ないし図１５に示した状態は、かかる挟角がほぼ１８０度となり、かつ折り畳み部３を拡げた状態である、第２の状態を示している。ただし、図２、図４に示した状態では、同挟角は、枕４の、背もたれ部２の裏面側の厚みに応じて、１８０度よりも小さい角度になっている。第２の状態では、多機能座椅子１００は主にベッドとして使用される。
【００３７】
図３に示した状態並びに図１６ないし図２０に示した状態は、かかる挟角がほぼ８０度となり、かつ折り畳み部３を拡げた状態である、多機能座椅子１００の第３の状態を示している。第３の状態では、多機能座椅子１００は主に足を伸ばしリラックスした状態で座ることができる座椅子として使用される。
【００３８】
なお、すでに述べたように、多機能座椅子１００は左右対称の形状であるため、第１の状態の右側面図はその左側面図である図８に示した多機能座椅子１００を左右対称に表したものとなり、第２の状態の右側面図はその左側面図である図１３に示した多機能座椅子１００を左右対称に表したものとなり、第３の状態の右側面図はその左側面図である図１８に示した多機能座椅子１００を左右対称に表したものとなる。
【００３９】
図１５等に示されているように、カバー５の、座板部１及び背もたれ部２の裏面側には、ファスナー５ａが、大きく突出部１ａ及び凹部２ａを囲繞するようにして、無端状に配設されている。よって、ファスナー５ａを開くことにより、カバー５の、座板部１及び背もたれ部２の裏面側は、ほぼ全面が開放される。
【００４０】
なお、第１の状態、第３の状態におけるかかる挟角は８０度に限らない。第１の状態は、ラチェット７ｃが保持すべきかかる挟角が１８０度以外のときであって折り畳み部３が折り畳まれた状態ということができ、第３の状態は、ラチェット７ｃが保持すべきかかる挟角が１８０度以外のときであって折り畳み部３が拡げられた状態ということができる。たとえば、図５に示した状態は第３の状態に含めることができる。
【００４１】
枕４は、ファスナー４ａを閉じ合わせて多機能座椅子１００の本体に取り付けられた状態において、背もたれ部２の、先端側の縁部と、凹部２ａの底部すなわち背もたれ部２の先端側の縁部に近い縁部との間の部分に回転自在に支持された筒状をなしている。枕４の厚さは周方向において異なっており、回転させることでその高さが可変である。したがって、使用者が好みに応じて枕４の高さを変えることができる。なお、枕４の、背もたれ部２の裏面側の厚さが最大となるときにおいても、ラチェット７ｃが保持すべき座板部１と背もたれ部２との挟角は、ほぼ１８０度である。
【００４２】
以上のような構成の多機能座椅子１００にあっては、座板骨格７ａ、特にパイプ材８が、座板部１の本体から突出部１ａの中途部分にかけて延在しているので、第１の状態、第３の状態すなわち、枕４が床面から離れた状態で、主に座る態様で使用している際に、頭側に体重をかけたときであっても、パイプ材８が支えになり、枕４が床面に当接するように倒れることが抑制され、このような転倒によって怪我をすることが防止され、多機能座椅子１００の後方に物を置いてある場合にその物が破損することも防止される。なおかつ、多機能座椅子１００の後方を通過するときなどに、背面に突き出た形状となっている突出部１ａに足などをぶつけても、パイプ材８に当接することが抑制され、怪我をすることが防止される。
【００４３】
また、背もたれ部２を少しだけ起こして使用する場合にもシーソーのようにバタ付くことが抑制されるうえ、枕４を備えているために背もたれ部２を少しだけ起こして使用すること自体が少ないことも、かかるばたつきの抑制に効果的である。さらに、枕４が筒状であり背もたれ部２の背面側の位置も占めるので、バタつきや倒れが生じても、枕４によって、床面に当接したときの衝撃が緩和される。
【００４４】
第２の状態においては、枕４の、背もたれ部２の裏面側の厚さが最大となるときにおいても、ラチェット７ｃが保持すべき座板部１と背もたれ部２との挟角は、ほぼ１８０度であるため、枕４は常に接地していることとなり、パイプ材８が支えになることとも相俟って、やはりバタつきが防止される。
【００４５】
座板骨格７ａ、特にパイプ材８が、座板部１の本体から突出部１ａの中途部分にかけて延在していることは、多機能座椅子１００をベッドとして使用するときの寝心地を損なわず、重量増、高価格化の抑制にも寄与している。
枕４は多機能座椅子１００のベッドとしての機能を向上している。枕４を回転させることにより使用者の好みに応じて背もたれ部２の表面からの高さを変えられるためベッドとしての使用感を向上している。枕４の高さを容易に変えられるため、多機能座椅子１００を椅子として使用するときには枕４を低くし、ベッドとして使用するときには枕４を高くするなど、臨機応変に、必要に応じて枕４を使うことができ、使用感が極めて高い。
このように、多機能座椅子１００は、使用感が極めて高いなど、使用者にとって非常に魅力的である。
【００４６】
座板部１と折り畳み部３とはカバー６によって一体化され、折り畳み部３の折り畳みは容易に行われる。凸部３ａには骨格となる部材がないので、第３の状態から第１の状態にする際に、凸部３ａを凹部２ａに容易に進入させることができ、かかる状態の変化を容易に行うことができ、使用者の操作性が高い。
第３の状態にあっては、座板部１と折り畳み部３とはほぼ同一の大きさ、形状をなしているため、座板部１と折り畳み部３とがほぼ完全に重なった状態となり、美観に優れている。
【００４７】
座板部１、背もたれ部２の各スポンジと骨格部材７とは、接着剤によって一体化され固定されているので、互いの位置ずれが起こることがなく、座板部１、背もたれ部２の形状が保たれる。
ファスナー５ａを開いたときには、カバー５の、座板部１及び背もたれ部２の裏面側がほぼ全面にわたって開放され、座板部１、背もたれ部２の各スポンジと骨格部材７とが一体で容易に取り出され、これに続いて折り畳み部３内のスポンジが容易に取り出される。これらの取り付けもまた同様にして容易に行われる。したがって、カバー５の着脱が容易であって、カバーが汚れたときに容易に洗うことができる。
【００４８】
前述の〔特許文献１〕に記載の座椅子と異なり、１００には肘掛などが備えられておらず、座板部１の側方が開放されているので、座ったり立ったりすることが自由にでき、またベッドとして使用しているときに、床面に容易に手を付くことができることもあり、寝返りが容易にできるなどの使用感に優れた特性を備えている。
【００４９】
以上本考案を説明したが、本考案にかかる多機能座椅子を構成する、座板部、背もたれ部、折り畳み部、枕等については前述した形態の各要素に限らず任意に変更可能である。
本考案の実施の形態に記載された効果は、本考案から生じる最も好適な効果を列挙したに過ぎず、本考案による効果は、本考案の実施の形態に記載されたものに限定されるものではない。
【図面の簡単な説明】
【００５０】
【図１】本考案を適用した多機能座椅子の第１の状態の斜視図である。
【図２】本考案を適用した多機能座椅子の第２の状態の斜視図である。
【図３】本考案を適用した多機能座椅子の第３の状態の斜視図である。
【図４】本考案を適用した多機能座椅子の内部構造を示す平面図である。
【図５】本考案を適用した多機能座椅子の内部構造を示す斜視図である。
【図６】本考案を適用した多機能座椅子の第１の状態の正面図である。
【図７】本考案を適用した多機能座椅子の第１の状態の背面図である。
【図８】本考案を適用した多機能座椅子の第１の状態の左側面図である。
【図９】本考案適用した多機能座椅子の第１の状態の平面図である。
【図１０】本考案を適用した多機能座椅子の第１の状態の底面図である。
【図１１】本考案を適用した多機能座椅子の第２の状態の正面図である。
【図１２】本考案を適用した多機能座椅子の第２の状態の背面図である。
【図１３】本考案を適用した多機能座椅子の第２の状態の左側面図である。
【図１４】本考案を適用した多機能座椅子の第２の状態の平面図である。
【図１５】本考案を適用した多機能座椅子の第２の状態の底面図である。
【図１６】本考案を適用した多機能座椅子の第３の状態の正面図である。
【図１７】本考案を適用した多機能座椅子の第３の状態の背面図である。
【図１８】本考案を適用した多機能座椅子の第３の状態の左側面図である。
【図１９】本考案を適用した多機能座椅子の第３の状態の平面図である。
【図２０】本考案を適用した多機能座椅子の第３の状態の底面図である。
【符号の説明】
【００５１】
１      座板
１ａ    突出部
２      背もたれ部
２ａ    凹部
３      折り畳み部
３ａ    凸部
４      枕
８      保持部材
１００      多機能座椅子
【図１】
0003117337.tif 000003
【図２】
0003117337.tif 000004
【図３】
0003117337.tif 000005
【図４】
0003117337.tif 000006
【図５】
0003117337.tif 000007
【図６】
0003117337.tif 000008
【図７】
0003117337.tif 000009
【図８】
0003117337.tif 000010
【図９】
0003117337.tif 000011
【図１０】
0003117337.tif 000012
【図１１】
0003117337.tif 000013
【図１２】
0003117337.tif 000014
【図１３】
0003117337.tif 000015
【図１４】
0003117337.tif 000016
【図１５】
0003117337.tif 000017
【図１６】
0003117337.tif 000018
【図１７】
0003117337.tif 000019
【図１８】
0003117337.tif 000020
【図１９】
0003117337.tif 000021
【図２０】
0003117337.tif 000022